(57)【要約】【課題】有効塩素成分を含有する電解生成水を殺菌洗浄等に使用する場合に、洗浄台の設置場所の周囲で揮発する塩素成分を除去するための塩素成分除去装置を、洗浄台に設置できるように小型に構成する。【解決手段】塩素成分除去装置Ａは、洗浄台Ｃの受槽ｃ3の近傍に吸気口１１ｄが開口する吸気用ダクト１１と、吸気用ダクト１１内に配置された塩素成分除去剤１２と、吸気用ダクト１１内に配置された吸気用ファン１３を備え、塩素成分除去剤１２として固体の塩素成分除去剤（ハニカム構造体）を採用して、当該ハニカム構造体１２に対する防水対策および防塵対策を採っている。塩素成分除去装置Ａにおいては、吸気用ファン１３の駆動により、受槽ｃ3の周囲の雰囲気を吸気口１１ｄから吸気用ダクト１１内に吸引し、当該ハニカム構造体１２と接触させて塩素成分を除去して排気口１１ｃから排出させる。この間、当該ハニカム構造体１２への水および塵埃の侵入を阻止する。【選択図】    図１
2005081289.tif 000002
【特許請求の範囲】
【請求項１】
電解生成水供給源から吐出する有効塩素成分を含有する電解生成水を受水する受槽を備える洗浄台または同洗浄台に近接して配置されて、前記電解生成水供給源から吐出する電解生成水から揮発するガスを吸引して同ガス中の塩素成分を除去する塩素成分除去装置であり、当該塩素成分除去装置は、前記洗浄台の受槽の近傍に吸気口が開口する吸気用ダクトと、同吸気用ダクト内に配置された固体の塩素成分除去剤と、前記吸気用ダクト内または同吸気用ダクトの排気口に近接して配置され前記受槽の周囲の雰囲気を前記吸気口から前記吸気用ダクト内に吸引して前記塩素成分除去剤と接触させて前記排気口から排出させる吸気用ファンを備え、前記吸気用ダクトは、前記塩素成分除去剤の配設部位より上流側部位に水抜き手段を有する水溜部を備えていることを特徴とする電解生成水から揮発する塩素成分除去装置。
【請求項２】
請求項１に記載の塩素成分除去装置であり、前記吸気用ダクトが有する水溜部は、同水溜部における滞留水が所定量に達したことを検知する水量検知手段を備え、同水量検知手段が滞留水が所定量に達したことを検知したとき警告を発生し、前記電解生成水供給源からの電解生成水の吐出を停止し、または、前記吸気用ファンの駆動を停止するように構成されていることを特徴とする電解生成水から揮発する塩素成分除去装置。
【請求項３】
請求項１または２に記載の塩素成分除去装置であり、前記吸気用ダクトにおける前記水溜部の上方開口縁部と前記塩素成分除去剤の配設部位間の底部は、前記水溜部の上側開口縁部から前記塩素成分除去剤の配設部位側へ上方傾斜する傾斜面に形成されていることを特徴とする電解生成水から揮発する塩素成分除去装置。
【請求項４】
請求項１〜３のいずれか一項に記載の塩素成分除去装置であり、前記吸気用ダクト内に配置される塩素成分除去剤は、塩素成分を吸着する粒状または粉状の活性炭、塩素成分と化学反応する反応剤を坦持する粒状または粉状の活性炭、これら各活性炭を成形材料とするハニカム構造体またはモノリス構造体、粒状または粉状のチオ硫酸ナトリウムの群から選択されるものであることを特徴とする電解生成水から揮発する塩素成分除去装置。
【請求項５】
請求項１〜４のいずれか一項に記載の塩素成分除去装置であり、前記吸気用ダクトにおける前記洗浄台の受槽の近傍に開口する吸気口は、防塵用フィルターにて被覆されていることを特徴とする電解生成水から揮発する塩素成分除去装置。
【請求項６】
請求項１〜５のいずれか一項に記載の塩素成分除去装置であり、前記吸気用ダクト内に配置されている塩素成分除去剤は吸気用ファンより上流側に位置していることを特徴とする電解生成水から揮発する塩素成分除去装置。
【発明の詳細な説明】
【技術分野】
【０００１】
本発明は、電解水生成装置で生成される有効塩素成分を含有する電解生成水から揮発する塩素成分を除去するための塩素成分除去装置に関する。本発明では、当該塩素成分除去装置を、電解生成水から揮発する塩素成分除去装置と称するが、単に、塩素成分除去装置と称することがある。
【背景技術】
【０００２】
電解水生成装置で生成される電解生成水の使用態様として、家庭や店舗の流し台（シンク）等、洗浄台に近接して配設した電解水生成装置の電解生成水用吐出口から吐出する電解生成水や、電解生成水用貯留タンク等の電解生成水用吐出口から吐出する電解生成水を洗浄台の受槽に受水し、受槽に収容された電解生成水や吐出途中の電解生成水を洗浄用水として使用し、または、その他の処理用途に使用する態様がある。なお、本発明では、上記した電解水生成装置および電解生成水用貯留タンク等を、一括して電解生成水供給源と称している。
【０００３】
電解生成水のこのような使用態様においては、電解生成水供給源から各種の特性の電解生成水を選択して吐して使用することができるが、特に、塩素成分を含有する酸性の電解生成性水は高い殺菌能を有することから、人体の手足等を消毒洗浄するためや、食材、食器類、その他の機器等を殺菌洗浄するために好適で頻繁に使用される。当該電解生成水は、一般に電解生成酸性水と称しており、以下では、当該電解生成水を電解生成酸性水ということがある。電解生成酸性水のこのような使用態様を採用することができる洗浄台については、電解水手洗器の名称で提案されている（特許文献１参照）。
【０００４】
ところで、当該電解生成水のこのような使用態様では、当該電解生成水に含有されている塩素成分は、当該電解生成水が電解水生成装置から吐出している間や、受槽に収容されている間に塩素ガス等として揮発し、揮発した塩素ガス等の塩素成分が電解生成水を使用する周囲に浮遊、拡散して環境を汚染する。このため、当該電解生成水のこのような使用態様においては、当該電解生成水から揮発した塩素ガス等の塩素成分を、洗浄台の周囲から室外へ排気することが重要であり、従来では、洗浄台の設置場所に換気設備を設置する手段が採られているのが一般である。
【特許文献１】特開平１１−２３５３７８号公報
【発明の開示】
【発明が解決しようとする課題】
【０００５】
このように、当該電解生成水（電解生成酸性水）のこのような使用態様では、電解生成酸性水から揮発する塩素ガス等の塩素成分を、使用する洗浄台の周囲の雰囲気とともに室外へ排気するための換気設備の設置が不可欠である。しかしながら、洗浄台の設置場所によっては換気設備の設置が難しい場合があり、また、換気設備の設置がコスト的に問題となる場合がある。本発明の目的は、電解生成酸性水のこのような使用態様を、換気設備が整っていない場所でも採用し得るようにすることにある。本発明の目的は、詳しくは、電解生成酸性水から揮発する塩素ガス等の塩素成分を効率よく除去し得る塩素成分除去装置であって、洗浄台の受槽に隣接する受台に載置し、または、洗浄台を構成する台本体内の空間部に組込むことができるような小型の塩素成分除去装置を提供することにある。
【課題を解決するための手段】
【０００６】
本発明は、電解水生成装置で生成される有効塩素成分を含有する電解生成水から揮発する塩素成分を除去するための塩素成分除去装置に関し、特に、取扱い易い固体の塩素成分除去剤を使用した塩素成分除去装置に関する。本発明に係る電解生成水から揮発する塩素成分除去装置は、電解生成水供給源から吐出する有効塩素成分を含有する電解生成水を受水する受槽を備える洗浄台または同洗浄台に近接して配置されて、前記電解生成水供給源から吐出する電解生成水から揮発するガスを吸引して同ガス中の塩素成分を除去する塩素成分除去装置である。
【０００７】
しかして、本発明に係る塩素成分除去装置は、前記洗浄台の受槽の近傍に吸気口が開口する吸気用ダクトと、同吸気用ダクト内に配置された固体の塩素成分除去剤と、前記吸気用ダクト内または同吸気用ダクトの排気口に近接して配置され前記受槽の周囲の雰囲気を前記吸気口から前記吸気用ダクト内に吸引して前記塩素成分除去剤と接触させて前記排気口から排出させる吸気用ファンを備え、前記吸気用ダクトは、前記塩素成分除去剤の配設部位より上流側部位に水抜き手段を有する水溜部を備えていることを特徴とするものである。
【０００８】
本発明に係る塩素成分除去装置においては、前記吸気用ダクトが有する水溜部に、同水溜部における滞留水が所定量に達したことを検知する水量検知手段を設けて、同水量検知手段が滞留水が所定量に達したことを検知したとき警告を発生し、前記電解生成水供給源からの電解生成水の吐出を停止し、または、前記吸気用ファンの駆動を停止するように構成することができる。また、前記吸気用ダクトにおける前記水溜部の上方開口縁部と前記塩素成分除去剤の配設部位間の底部を、前記水溜部の上側開口縁部から前記塩素成分除去剤の配設部位側へ上方傾斜する傾斜面に形成するようにすることができる。
【０００９】
本発明に係る塩素成分除去装置においては、前記吸気用ダクト内に配置される塩素成分除去剤として、塩素成分を吸着する粒状または粉状の活性炭、塩素成分と化学反応する反応剤を坦持する粒状または粉状の活性炭、これら各活性炭を成形材料とするハニカム構造体またはモノリス構造体、粒状または粉状のチオ硫酸ナトリウムの群から選択される塩素成分除去剤を採用することができる。
【００１０】
本発明に係る塩素成分除去装置においては、前記吸気用ダクトにおける前記洗浄台の受槽の近傍に開口する吸気口を防塵用フィルターにて被覆する構成とすることができ、また、前記吸気用ダクト内に配置されている塩素成分除去剤を吸気用ファンより上流側に位置する構成とすることができる。
【発明の効果】
【００１１】
本発明に係る塩素成分除去装置は、洗浄台の受槽の近傍に吸気口が開口する吸気用ダクトと、吸気用ダクト内に配置された塩素成分除去剤と、吸気用ダクト内または同吸気用ダクトの排気口に近接して配置され受槽の周囲の雰囲気を吸気口から吸気用ダクト内に吸引して塩素成分除去剤と接触させて排気口から排出させる吸気用ファンを備えることを基本構成とする小型のもので、電解生成水供給源の設置場所の近傍にある洗浄台の所望の場所に設置して使用することができる。このため、当該塩素成分除去装置は、換気設備が整っていない場所で狭い設置空間にも設置し得て、電解生成酸性水から揮発する塩素ガス等の塩素成分を効率よく除去することができる。
【００１２】
当該塩素成分除去装置においては、塩素成分除去剤として、粒状、粉状、これらを成形材料とする多孔質の構造体等の固体の塩素成分除去剤を採用して、塩素成分除去剤の吸気用ダクト内への配設作業や交換作業の容易さを図っている。塩素成分除去剤としては、例えば、塩素成分を吸着する粒状または粉状の活性炭、塩素成分と化学反応する反応剤を坦持する粒状または粉状の活性炭、これらの活性炭を成形材料とするハニカム構造体またはモノリス構造体、粒状または粉状のチオ硫酸ナトリウムの群から適宜選択して使用することができる。
【００１３】
これらの塩素成分除去剤のなかには、水分が侵入すると塩素除去機能を急激に低下させるものがあり、侵入した水分に溶解して形態を損なって配置構造が損なわれるものがある。また、これらの塩素成分除去剤においては、塵埃が侵入すると、侵入した塵埃が塩素成分除去剤の表面を被覆して塩素除去機能を低下させ、または、塩素成分除去剤に目詰まりを生じさせて塩素除去機能を低下させるものがある。このため、当該塩素成分除去装置では、下記のごとき水対策および塵埃対策を採っている。
【００１４】
すなわち、塵埃対策としては、吸気用ダクトにおける洗浄台の受槽の近傍に開口する吸気口を防塵用フィルターにて被覆する手段を採って、吸気用ダクト内への塵埃の侵入を阻止している。また、防水対策としては、吸気用ダクトにおける塩素成分除去剤の配設部位より上流側部位に水抜き手段を有する水溜部を設けて、吸気用ダクト内に侵入した水分を、塩素成分除去剤の配設部位の上流側部位に位置する水溜部に滞留させて、塩素成分除去剤への水の侵入を防止する手段を採っている。
【００１５】
この場合、水溜部における滞留水が所定量に達したことを検知する水量検知手段を設ければ、水量検知手段が滞留水が所定量に達したことを検知したとき警告を発生したり、電解生成水供給源からの電解生成水の吐出を停止させたり、吸気用ファンの駆動を停止させるように構成することができる。また、吸気用ダクトにおける水溜部の上方開口縁部と塩素成分除去剤の配設部位間の底部を、水溜部の上方開口縁部から塩素成分除去剤の配設部位側へ上方傾斜する傾斜面に構成すれば、水の塩素成分除去剤側への侵入を一層確実に阻止することができる。
【発明を実施するための最良の形態】
【００１６】
本発明は、電解生成酸性水の使用中に、当該電解生成酸性水から揮発する塩素成分を除去するための塩素成分装置に関する。本発明に係る塩素成分除去装置Ａについては、図１〜図７に示している。図１、図３、図５および図７は、本発明に係る塩素成分除去装置Ａを装備した洗浄台のＣの正面図、平面図、左側からみた側面図、および、右側からみた側面図である。また、図２、図４および図６は、本発明に係る塩素成分除去装置Ａが有する吸気用ダクトの縦断正面図、横断平面図、および、縦断側面図である。
【００１７】
当該塩素成分除去装置Ａは、電解生成水供給源である電解水生成装置Ｂの配設位置に近接して設置されている洗浄台（シンク）Ｃに配設されている。洗浄台Ｃは、台本体ｃ1の上側部位である天板の一部が受台ｃ2に形成されているとともに、受台ｃ2の隣接する部位が受槽ｃ3に形成されている。洗浄台Ｃの受槽ｃ3の上方には、電解水生成装置Ｂが有する蛇口ｂが臨んでいる。洗浄台Ｃには、電解水生成装置Ｂおよび当該塩素成分除去装置Ａの運転を制御する制御装置を内蔵するコントロールボックスＤが設けられている。電解水生成装置Ｂは、有隔膜電解槽を主体とする電解水生成装置であって、有隔膜電解槽を構成する陽極側電解室では電解生成酸性水が生成され、かつ、同電解槽を構成する陰極側電解室では電解生成アルカリ性水が生成される。
【００１８】
生成される電解生成酸性水は、有効塩素成分を含有する殺菌能に富む電解生成水であって、当該電解水生成装置Ｂの電解運転時には蛇口ｂを通して吐出され、吐出された電解生成酸性水は洗浄台Ｃの受槽ｃ3に受水されて収容される。吐出された電解生成酸性水は、その吐出途中、および／または、受槽ｃ3に収容された状態で、手等の身体の消毒洗浄、食器、やその他の各種器具の殺菌洗浄、食材の殺菌洗浄等に好適に使用される。また、当該電解水生成装置Ｂにおいては、生成される電解生成アルカリ性水は、洗浄台Ｃの台本体ｃ1内の空間部に配設した図示しない貯留タンクに収容され、必要時には、貯留タンクから抽出して、例えばアルカリ性の洗浄水として使用され、不要時には排水処理される。なお、受槽ｃ3に収容されている電解生成酸性水は、図示しない排水弁を開放することにより、受槽ｃ3内の底部に設けた排水用タンクｃ4を通して排水される。また、受槽ｃ3内に収容されて余剰となった電解生成酸性水は、流入口からオーバフローパイプｃ5に流入し、オーバフローパイプｃ5を通して排水用タンクｃ4に流入して、排水されるようになっている。
【００１９】
当該電解水生成装置Ｂで生成される電解生成酸性水は、揮発性の有効塩素成分を含有するもので、電解生成酸性水が含有する揮発性の塩素成分は、電解生成酸性水が蛇口ｂからの吐出中や、受槽ｃ3に収容されている電解生成酸性水から揮発して、洗浄台Ｃの設置場所の周囲に浮遊し拡散する。当該塩素成分除去装置Ａは、洗浄台Ｃの設置場所の周囲の雰囲気を吸気して、雰囲気中の塩素成分を除去すべく機能する。当該塩素成分除去装置Ａは、その主体部を、洗浄台Ｃの受台ｃ2の下面側にて受槽ｃ3の側部に配設されている。
【００２０】
当該塩素成分除去装置Ａは、吸気用ダクト１１と、吸気用ダクト１１内の途中に配置した塩素成分除去剤１２と、吸気用ダクト１１内の途中に配設した吸気用ファン１３を備えている。吸気用ダクト１１は、洗浄台Ｃの受槽ｃ3の側部に沿って前方の中間部から背面側に延びる断面正方形の主ダクト部１１ａと、主ダクト部１１ａの先端から斜め上方に延びて台本体ｃ1の背面側の起立壁部ｃ6内を経て、起立壁部ｃ6の前側にて開口する断面長方形の副ダクト部１１ｂと、主ダクト部１１ａの基端から側部に延びて背面側に開口する断面長方形の排気口部１１ｃにより構成されている。副ダクト部１１ｂの先端は、起立壁部ｃ6における前側にて、受槽ｃ3の上方の部位に開口していて、副ダクト部１１ｂの先端側開口部が吸気口１１ｄに形成されている。吸気口１１ｄは、受槽ｃ3の上方部位にて、受槽ｃ3に沿って左右に所定長さ延びている。
【００２１】
当該吸気用ダクト１１においては、主ダクト部１１ａ内の中間部位に塩素成分除去剤１２が配置され、かつ、主ダクト部１１ａの基端部である排気口部１１ｃとの境界部位に吸気用ファン１３が配設されている。また、副ダクト部１１ｂの先端には、防塵用フィルター１４が配設されている。これにより、副ダクト部１１ｂの先端開口部である吸気口１１ｄは、防塵用フィルター１４によって、前側から覆蓋されている。また、副ダクト部１１ｂの主ダクト部１１ａとの境界部における底部には、水溜部１５が形成されている。
【００２２】
水溜部１５は、副ダクト部１１ｂの先端部である底部から下方へ延びる断面長方形の箱体であり、水溜部１５の上方開口部は副ダクト部１１ｂの底部にて開口している。また、主ダクト部１１ａにおける水溜部１５の上方開口縁部に臨む底面は、水溜部１５の上方開口縁部に向かって下降傾斜する傾斜面１１ａ1に形成されている。これにより、主ダクト部１１ａにおける水溜部１５の上方開口縁部と塩素除去剤１２の配設部位との間の底部は、水溜部１５の上方開口縁部側から塩素除去剤１２の配設部位側へ上方傾斜する傾斜面１１ａ1となっている。水溜部１５においては、その溜部１５ａの底部に、開閉弁を有するドレンパイプ１５ｂが設けられている。また、溜部１５ａの側部には、フロートスイッチ１５ｃが設けられている。フロートスイッチ１５ｃは、水溜部１５の溜部１５ａに所定量の水が滞留した場合にこれを検知して、コントロールボックスＤに設けた図示しない警報ブザーや警報ランプ等の警告手段を作動すべく機能する。また、ドレンパイプ１５ｂは、開閉弁を開放した状態で、溜部１５ａに滞留する水を排出すべく機能する。
【００２３】
本発明に係る塩素成分除去装置においては、塩素成分除去剤として、ガス状の塩素成分を吸着して除去する活性炭、塩素成分と化学反応する反応剤を坦持する活性炭（反応性活性炭）、これらの活性炭の微粉末を成形材料とするハニカム状またはモノリス状の構造体等の活性炭製の多孔質構造体（ハニカム構造体、モノリス構造体）、粒状または粉状のチオ硫酸ナトリウム等を採用することができる。これらの塩素成分除去剤は、使い勝手、は配置作業、交換作業等の容易さ等を考慮して適宜選択される。当該塩素成分除去装置Ａにおいては、塩素成分除去剤１２としては、特に配置作業や交換作業が容易な活性炭の多孔質構造体であるハニカム構造体を採用している。
【００２４】
かかる構成の塩素成分除去装置Ａにおいては、その運転が電解水生成装置Ｂと連動する構成となっており、作業者が電解生成酸性水を使用すべく、電解水生成装置Ｂの電解運転を開始すると、当該塩素成分除去装置Ａは、その吸気用ファン１３が駆動して運転を開始する。また、作業者が電解生成酸性水の使用を終了すべく電解水生成装置Ｂの電解運転を停止すると、当該塩素成分除去装置Ａは、その吸気用ファン１３の駆動が停止されて運転を停止する。当該塩素除去装置Ａと電解水生成装置Ｂの運転の互いの連動は、コントロールボックスＤ内に収納されている制御装置によってコントロールされる。また、電解水生成装置Ｂの電解運転の開始および停止は、作業者による、コントロールボックスＤの操作盤に配設されているスイッチ類の操作によって行われる。
【００２５】
従って、当該塩素成分除去装置Ａは、電解生成酸性水を使用しようとする作業者が電解水生成装置Ｂの電解運転を開始するためのスイッチ操作を行うと、吸気用ファン１３が駆動を開始して運転を開始する。当該塩素成分除去装置Ａは、運転の開始により、洗浄台Ｃの周囲の雰囲気を、吸気用ダクト１１の吸気口１１ｄを通して副ダクト部１１ｂ内に吸引する。吸引された雰囲気（空気流）は、主ダクト部１１ａ内を経て排気口部１１ｃから排出される。この間、空気流は主ダクト部１１ａ内に配置した塩素成分除去剤１２である活性炭製のハニカム構造体を透過し、当該空気流が含有する電解生成酸性水から揮発した塩素成分は、ハニカム構造体１２が坦持する反応剤と化学反応して当該空気流から除去され、当該空気流は塩素成分を含有しない排気として排気口部１１ｃから排出される。
【００２６】
このように、当該塩素成分除去装置Ａにおいては、電解水生成装置Ｂで生成された電解生成酸性水を洗浄台Ｃの設置場所にて使用している間、洗浄台Ｃの周囲の雰囲気を吸引して、雰囲気中の塩素成分を除去するものであって、電解生成酸性水の使用中に揮発する塩素成分による周囲の汚染を防止する。当該塩素成分除去装置Ａは小型であって、換気設備が整っていない場所で、洗浄台Ｃの台本体ｃ1内の狭い空間に設置して、電解生成酸性水から揮発する塩素ガス等の塩素成分を効率よく除去することができる。
【００２７】
しかして、当該塩素成分除去装置Ａにおいては、塩素成分除去剤として、活性炭製のハニカム構造体１２を採用していることから、当該ハニカム構造体１２に対する水の侵入を阻止する防水対策を採り、かつ、当該ハニカム構造体１２に対する塵埃の侵入を規制する防塵対策を採っている。
【００２８】
当該塩素成分除去装置Ａにおける防塵対策としては、吸気用ダクト１１における吸気口１１ｄを防塵用フィルター１４にて被覆する手段を採って、吸気用ダクト１１内への塵埃の侵入を阻止している。これにより、当該ハニカム構造体１２においては、侵入する塵埃によって表面が被覆されたり目詰まりが発生することがなく、侵入する塵埃に起因する塩素成分除去機能の低下が防止される。
【００２９】
また、当該塩素成分除去装置Ａにおける防水対策としては、吸気用ダクト１１の塩素成分除去剤であるハニカム構造体１２の上流側部位に水溜部１５を設けることを基本としている。当該防水対策によれば、吸気口１１ｄから雰囲気等ととも吸気用ダクト１１内に侵入する水分は、当該ハニカム構造体１２の配置部位より上流側にて水溜部１５に貯留されて、当該ハニカム構造体１２への水侵入が防止される。これにより、当該ハニカム構造体１２の水の侵入に起因する塩素成分除去機能の急激な低下を防止することができる。
【００３０】
当該防水対策においては、その基本とする水溜部１５の設置に加えて、水溜部１５の溜部１５ａの底部に開閉弁を有するドレンパイプ１５ｂを設け、かつ、水溜部１５ａの側部にフロートスイッチ１５ｃを設けている。フロートスイッチ１５ｃは、水溜部１５の溜部１５ａに所定量の水が滞留した際にこの状態を検知して、コントロールボックスＤに設けた図示しない警報ブザーや警報ランプ等の警告手段を作動すべく機能する。これにより、作業者は、警告手段の作動により、水溜部１５の溜部１５ａ内の滞留水が所定量になったこと知って、ドレンパイプ１５ｂを開放して、溜部１５ａ内に滞留する水を排出する。また、当該防水対策では、吸気用ダクト１１における水溜部１５の上端側開口縁部と当該ハニカム構造体１２の配置部位間の底部を、水溜部１５の上方開口縁部側から当該ハニカム構造体１２の配置部位側へ上方傾斜する傾斜面１１ａ1に形成している。これにより、水溜部１５を通過して当該ハニカム構造体１２の配置部位側へ至る水分を確実に規制するとともに、溜部１５ａ内の滞留水の当該ハニカム構造体１２への侵入を確実に規制する。
【図面の簡単な説明】
【００３１】
【図１】本発明の一実施形態に係る塩素成分除去装置を装備する洗浄台の正面図である
【図２】同塩素成分除去装置が有するダクト部の断面を概略的に示す縦断正面図である。
【図３】同洗浄台の平面図である。
【図４】同塩素成分除去装置が有するダクト部の断面を概略的に示す横断平面図である。
【図５】同洗浄台の左側からみた側面図である。
【図６】同塩素成分除去装置が有するダクト部の断面を概略的に示す縦断側面図である。
【図７】同洗浄台の右側の平面図である。
【符号の説明】
【００３２】
Ａ…塩素成分除去装置、１１…吸気用ダクト、１１ａ…主ダクト部、１１ａ1…傾斜面、１１ｂ…副ダクト部、１１ｃ…排気口部、１１ｄ…吸気口、１２…塩素成分除去剤（活性炭製のハニカム構造体）、１３…吸気用ファン、１４…防塵用フィルター、１５…水溜部、１５ａ…溜部、１５ｂ…ドレンパイプ、１５ｃ…フロートスイッチ、Ｂ…電解水生成装置、ｂ…蛇口、Ｃ…洗浄台（シンク）ｃ1…台本体、ｃ2…受台、ｃ3…受槽、ｃ4…排水用タンク、ｃ5…オーバフローパイプ、ｃ6…起立壁部、Ｄ…コントロールボックス。
【図１】
2005081289.tif 000003
【図２】
2005081289.tif 000004
【図３】
2005081289.tif 000005
【図４】
2005081289.tif 000006
【図５】
2005081289.tif 000007
【図６】
2005081289.tif 000008
【図７】
2005081289.tif 000009